(57)【特許請求の範囲】
【請求項１】
ホルダの頭部に刃体を取着してその頭部から前方へ刃体を延設し、このホルダにはその頭部から後方へ把持部を境界部を介して尻部まで延設した彫刻刀において、
前記刃体の先端側に設けた刃先部は被切断物に当てがう側である裏側とその裏側に対し反対側になる表側とを有し、前記頭部と境界部と把持部とはそれぞれ刃先部の裏側となる裏側とその裏側に対し反対側になる表側とを有し、
この境界部は、頭部の前端部と尻部の後端部との間の中央部よりも頭部側寄りに設けられ、この頭部の長手方向に沿う軸線から表側へ離れる向きへ頭部から延びる延出部であって、この延出部と頭部との間で延出部を表側へ屈曲させる第一屈曲部を設けるとともに、この延出部と把持部との間で把持部を後方へ屈曲させる第二屈曲部を設けることにより、この把持部はこの延出部から後方へ延び、
この刃先部とこの境界部との間でこの頭部の長手方向に沿う軸線に対し、この把持部の長手方向に沿う軸線を間隔をあけて平行に設定するか、または、この把持部の軸線がこの刃先部よりも前方を通って頭部の軸線に交差するか、または、この把持部の軸線がこの境界部よりも後方を通って頭部の軸線に交差するようにすることにより、この頭部の軸線に対しこの把持部の長手方向に沿う軸線をずらし、
この延出部の裏側から把持部の裏側にわたり指当て凹部を形成して把持部において頭部の軸線側に指入空間を設けた
ことを特徴とする彫刻刀。
【請求項２】
前記指当て凹部は第一屈曲部と把持部の裏側の突部との間で形成されていることを特徴とする請求項１に記載の彫刻刀。
【発明の詳細な説明】
【技術分野】
【０００１】
本発明は、彫刻刀においてホルダの形態に関するものである。
【背景技術】
【０００２】
従来、下記特許文献１にかかる彫刻刀においては、ホルダの頭部に刃体が取着されてその頭部から前方へ刃体が延設され、このホルダにはその頭部から後方へ把持部が尻部まで延設されている。
【特許文献１】特開２００４−３３０６４６号公報
【発明の開示】
【発明が解決しようとする課題】
【０００３】
上記特許文献１では、把持部が頭部から直線的に延設されているため、把持部の下側と被切削物との間に指を入れて使用すると、被切削物に対し把持部が頭部及び刃体とともに上方へ大きく傾くので、使い勝手が悪くなる。
【０００４】
この発明は、彫刻刀のホルダにおいて、把持部に指入空間を設けた場合でも頭部に対し把持部をさほど傾斜させる必要がなくなり、使い勝手を良くするとともに刃体に切削力を働き易くすることを目的としている。
【課題を解決するための手段】
【０００５】
後記実施形態の図面（図１〜７）の符号を援用して本発明を説明する。
請求項１の発明にかかる彫刻刀は、下記のように構成されている。
この彫刻刀２においては、ホルダ４の頭部５に刃体６を取着してその頭部５から前方へ刃体６を延設し、このホルダ４にはその頭部５から後方へ把持部１４を境界部１５を介して尻部１６まで延設している。前記刃体６の先端側に設けた刃先部６ａは被切断物に当てがう側である裏側とその裏側に対し反対側になる表側とを有し、前記頭部５と境界部１５と把持部１４とはそれぞれ刃先部６ａの裏側となる裏側とその裏側に対し反対側になる表側とを有している。この境界部１５は、頭部５の前端部Ａと尻部１６の後端部Ｄとの間の中央部Ｅよりも頭部５側寄りに設けられ、この頭部５の長手方向Ｘに沿う軸線５ａから表側へ離れる向きへ頭部５から延びる延出部１５であって、この延出部１５と頭部５との間で延出部１５を表側へ屈曲させる第一屈曲部１７を設けるとともに、この延出部１５と把持部１４との間で把持部１４を後方へ屈曲させる第二屈曲部１８を設けることにより、この把持部１４はこの延出部１５から後方へ延びている。この刃先部６ａとこの境界部１５との間でこの頭部５の長手方向Ｘに沿う軸線５ａに対し、この把持部１４の長手方向Ｘに沿う軸線１４ａを間隔をあけて平行に設定するか、または、この把持部１４の軸線１４ｂがこの刃先部６ａよりも前方を通って頭部５の軸線５ａに交差するか、または、この把持部１４の軸線１４ｃがこの境界部１５よりも後方を通って頭部５の軸線５ａに交差するようにすることにより、この頭部５の軸線５ａに対しこの把持部１４の長手方向Ｘに沿う軸線１４ａ，１４ｂ，１４ｃをずらしている。この延出部１５の裏側から把持部１４の裏側にわたり指当て凹部１９を形成して把持部１４において頭部５の軸線５ａ側に指入空間Ｓを設けている。
【０００６】
請求項１の発明は下記（イ）〜（ヘ）の効果を有する。
（イ）  把持部１４の軸線１４ａ，１４ｂ，１４ｃを頭部５の軸線５ａに対し延出部１５によりずらしたので、頭部５の軸線５ａに対し把持部１４をさほど傾斜させることなく把持部１４に指入空間Ｓを設けることができる。従って、使い勝手を良くするとともに刃体６に切削力を働き易くすることができる。
【０００８】
（ロ）  頭部５から第一屈曲部１７を介して延出部１５を設けるばかりでなく、その延出部１５から第二屈曲部１８を介して把持部１４を設けたので、頭部５の軸線５ａに対し把持部１４をさほど傾斜させることなく把持部１４に指入空間Ｓを設けることができる。従って、使い勝手を良くするとともに刃体６に切削力を働き易くすることができる。
【００１１】
（ハ）  刃体６の刃先部６ａに表裏両側の区別がある場合でも、指入空間Ｓを把持部１４の裏側に設けて使い勝手を良くすることができる。
（ニ） ホルダ４において、尻部１６は頭部５の軸線５ａよりも表側に設けられているので、使用時に尻部１６が邪魔にならず使い勝手を良くすることができる。
（ホ） ホルダ４において、境界部１５は頭部５の前端部Ａと尻部１６の後端部Ｄとの間の中央部Ｅよりも頭部５側寄りに設けられているので、頭部５よりも把持部１４を長くして使い勝手を良くすることができる。
（へ） ホルダ４において、把持部１４の裏側には指入空間Ｓで指当て凹部１９を形成したので、把持部１４の指当て凹部１９に指を当てがって使用すると、指が安定して指に力が入り易くなり、使い勝手を良くすることができる。
請求項１の発明を前提とする請求項２の発明において、前記指当て凹部１９は第一屈曲部１７と把持部１４の裏側の突部１９ｂとの間で形成されている。従って、把持部１４の指当て凹部１９に指を当てがって使用する際、指がより一層安定して指に力が入り易くなり、使い勝手を良くすることができる。
【発明の効果】
【００１２】
本発明は、彫刻刀２のホルダ４において、把持部１４に指入空間Ｓを設けた場合でも頭部５に対し把持部１４をさほど傾斜させる必要がなくなり、使い勝手を良くするとともに刃体６に切削力を働き易くすることができる。
【発明を実施するための最良の形態】
【００１３】
以下、本発明の一実施形態にかかる彫刻刀について図１〜７を参照して説明する。
図１に示すケース１内には５本の彫刻刀２，３が収容されている。このケース１は図示しない布袋に収容される。図１及び図２（ａ）（ｂ）（ｃ）（ｄ）に示す彫刻刀２においては、正面側から見て棒状のホルダ４が屈曲して形成され、そのホルダ４の頭部５の端部に刃体６（大丸刃、小丸刃、三角刃、平刃）が取着されてその頭部５の端部から刃体６が前方へ延設されているとともに、その頭部５の端部にガード７とキャップ８とを備えている。この棒状ホルダ４は平面側及び底面側から見て直線状に形成されている。このガード７は、プラスチック等により透明または半透明に成形され、その頭部５の端部に対し着脱可能に支持される。このキャップ８は、プラスチック等により透明に成形され、ホルダ４の頭部５の端部からガード７を離脱させた状態でその頭部５の端部に対し着脱可能に支持されて刃体６を被冠するばかりでなく、ホルダ４の頭部５の端部にガード７を取着した状態でその頭部５の端部及びガード７に対し着脱可能に支持されて刃体６及びガード７を被冠することもできる。このキャップ８の着脱時にはガード７をキャップ８に収容してキャップ８とともに着脱させることもできる。図２（ｅ）に示す彫刻刀３においては、棒状のホルダ９が平面側及び底面側ばかりでなく正面側から見ても直線状に形成され、そのホルダ９の頭部１０の端部に刃体１１（切出し刃）が取着されてその頭部１０の端部から刃体１１が前方へ延設されているが、上記ガード７とキャップ８とのうちガード７を備えていない。このキャップ８は、プラスチック等により透明に成形され、ホルダ９の頭部１０の端部に対し着脱可能に支持されて刃体１１を被冠する。なお、刃体１１（切出し刃）についてはその使用時の把持状態からして直線状のホルダ９に取着することが好ましい。
【００１４】
図２（ａ）に示す彫刻刀２においてホルダ４は、図３（ａ）及び図４（ａ）（ｂ）に示すように、図５（ａ）（ｂ）（ｃ）に示す芯体１２と、その芯体１２の外側で露出する表面部１３とを備えている。図２（ｅ）に示す彫刻刀３においてホルダ９は、図６（ａ）（ｂ）（ｃ）に示すように、図７（ａ）（ｂ）（ｃ）に示す芯体１２と、その芯体１２の外側で露出する表面部１３とを備えている。この芯体１２は、ポリプロピレン樹脂等の硬質樹脂により成形されている。この表面部１３は、この芯体１２を金型のキャビティにインサートした状態で、芯体１２の硬質樹脂よりも柔軟なエラストマー樹脂等の軟質樹脂（例えば硬度がショアＡ２０〜ショアＤ５０）によりその芯体１２に対し一体成形されている。図２（ｂ）（ｃ）（ｄ）に示す彫刻刀２におけるホルダ４は、図２（ａ）に示す彫刻刀２におけるホルダ４と同様である。
【００１５】
図３（ａ）に示すホルダ４には、その頭部５から後方へ把持部１４が境界部としての延出部１５を介して尻部１６まで延設されている。この延出部１５は前記刃体６の先端側に設けられた刃先部６ａとこの延出部１５との間でこの頭部５の長手方向Ｘに沿う軸線５ａから離れる上向き（被切断物に当てがう側である刃先部６ａの裏側とその裏側に対し反対側になる表側とのうち表側向き）へ頭部５から延び、この延出部１５と頭部５との間で延出部１５を屈曲させる第一屈曲部１７が設けられているとともに、この延出部１５と把持部１４との間で把持部１４を後方へ屈曲させる第二屈曲部１８が設けられている。この第一屈曲部１７においては、頭部５の軸線５ａと延出部１５の軸線１５ａとの交差部Ｂを中心としてそれらの軸線５ａ，１５ａが互いに屈曲角度α（例えば約１４５度）をなす。この第二屈曲部１８においては、延出部１５の軸線１５ａと把持部１４の長手方向Ｘに沿う軸線１４ａとの交差部Ｃを中心としてそれらの軸線１５ａ，１４ａが互いに屈曲角度β（例えば約３５度）をなす。これらの屈曲部１７，１８により、この頭部５の軸線５ａに対しこの把持部１４の軸線１４ａが上方へずらし幅Ｗ（例えば約６．５ｍｍ）だけずらされてこの頭部５の軸線５ａに対しこの把持部１４の軸線１４ａが平行に設定されている。そのため、この把持部１４の裏側には頭部５の軸線５ａ側で指入空間Ｓが設けられる。このホルダ４において、尻部１６は頭部５の軸線５ａよりも表側に配置され、延出部１５は頭部５の前端部Ａと尻部１６の後端部Ｄとの間の中央部Ｅよりも頭部５側寄りに配置されている。ちなみに、この頭部５の前端部Ａと前記交差部Ｂとの間で長手方向Ｘの寸法Ｌ５は約２０ｍｍ、前記交差部Ｂと交差部Ｃとの間で長手方向Ｘの寸法Ｌ１５は約１０ｍｍ、前記交差部Ｃと尻部１６の後端部Ｄとの間で長手方向Ｘの寸法Ｌ１４は約１０５ｍｍ、この頭部５の前端部Ａと尻部１６の後端部Ｄとの間で長手方向Ｘの寸法Ｌ４（＝Ｌ５＋Ｌ１５＋Ｌ１４）は約１３５ｍｍにそれぞれ設定されている。また、（Ｌ５＋Ｌ１５）÷Ｌ４×１００＝Ｐの式で求めることができる比率Ｐは、１０〜４０％が好ましく、例えば約２２％に設定され、Ｌ５÷Ｌ４×１００＝Ｑの式で求めることができる比率Ｑは、５〜３０％が好ましく、例えば約１５％に設定されている。
【００１６】
前記延出部１５の外周全体には滑止め部としての表面部１３が露出している。前記指入空間Ｓにおいてこの延出部１５の裏側から把持部１４の裏側にわたり指当て凹部１９が第一屈曲部１７と突部１９ｂとの間で表面部１３に形成され、その指当て凹部１９には凹凸状の滑止め部１９ａが形成されている。その指当て凹部１９に対し反対側になる延出部１５の表側から把持部１４の表側にわたり凹状の滑止め部２０が表面部１３に形成されている。把持部１４の表側において、この滑止め部２０と尻部１６との間で芯体１２には装飾を兼ねた滑止め部２１が形成されているとともに、この滑止め部２１と尻部１６との間で芯体１２には刃体６（大丸刃、小丸刃、三角刃、平刃）を区別するための刃体マーク貼着部２２が形成されている。把持部１４の裏側において、この指当て凹部１９と尻部１６との間で芯体１２には名前シール貼着部２３が形成されている。なお、彫刻刀３のホルダ９にも彫刻刀２のホルダ４と同様に滑止め部１９ａや滑止め部２０や滑止め部２１や刃体マーク貼着部２２や名前シール貼着部２３が形成されている。また、ホルダ４においては頭部５の裏側で芯体１２に平面部２４が形成されているとともに把持部１４の尻部１６の裏側で芯体１２に平面部２５が形成され、ホルダ９においては表面部１３の中央部の裏側に平面部２６が形成されているとともに後端部の裏側で芯体１２に平面部２５が形成され、これらの平面部２４，２５，２６によりホルダ４，９の載置状態で回り止め機能を果たす。
【００１７】
前記頭部５の裏側で平面部２４から前記延出部１５の裏側で指当て凹部１９の滑止め部１９ａに至る外面Ｒ５は、下向きの凸状に形成されている。前記指当て凹部１９で前記延出部１５の裏側から前記把持部１４の裏側に至る外面Ｒ１９は、上向きの凸状に形成されている。前記延出部１５の表側で外面Ｒ１５は、下向きの凸状に形成されている。前記把持部１４の表側で凹状滑止め部２０の外面Ｒ２０は、下向きの凸状に形成されている。前記外面Ｒ５と外面Ｒ１９との間の変曲点Ｆと、前記指当て凹部１９の外面Ｒ１９の最深部Ｇと、前記凹状滑止め部２０の外面Ｒ２０の最深部Ｈとは、いずれも、前記交差部Ｃよりも長手方向Ｘで尻部１６側に位置している。
【００１８】
図３（ｂ）に示す別例のように、把持部１４の軸線１４ｂを頭部５の軸線５ａに対し上向きに例えば０〜３０度傾斜させて尻部１６の後端部Ｄを延出部１５の交差部Ｃよりも上方に位置させることによりその軸線１４ｂを刃先部６ａよりも前方を通って頭部５の軸線５ａに交差させたり、または、把持部１４の軸線１４ｃを頭部５の軸線５ａに対し下向きに例えば０〜３０度傾斜させて尻部１６の後端部Ｄを延出部１５の交差部Ｃよりも下方に位置させることによりその軸線１４ｃを延出部１５よりも後方を通って頭部５の軸線５ａに交差させたりしてもよい。
【００１９】
本実施形態は下記の効果を有する。
＊  把持部１４の裏側に指入空間Ｓを設けたので、把持部１４を把持した手指以外の手指をその指入空間Ｓに入れ、例えばその指入空間Ｓで手指により被切断物を支えるとともにそれらの手指を互いに重ねながら彫刻刀２を使用することができ、ホルダ４が安定するとともに、把持部１４を把持した手指以外の手指を刃体６の前方に差し出すことがなくなって安全性が向上し、使い勝手を良くすることができる。
【００２０】
＊  彫刻刀２のホルダ４において、頭部５から第一屈曲部１７を介して延出部１５を設けるばかりでなく、その延出部１５から第二屈曲部１８を介して把持部１４を設け、この把持部１４の軸線１４ａ，１４ｂ，１４ｃを頭部５の軸線５ａに対しこの延出部１５によりずらして、この把持部１４の軸線１４ａを頭部５の軸線５ａと平行に設定するか、または、この把持部１４の軸線１４ｂがこの刃先部６ａよりも前方を通るか、または、この把持部１４の軸線１４ｃがこの延出部１５よりも後方を通るようにすることにより、頭部５の軸線５ａに対し把持部１４をさほど傾斜させることなく把持部１４に充分な指入空間Ｓを設けることができる。
【００２１】
＊  彫刻刀２のホルダ４において、把持部１４に充分な指入空間Ｓを設けた場合でも頭部５に対し把持部１４をさほど傾斜させる必要がなくなり、刃体６に切削力が働き易い。
前記実施形態以外にも例えば下記のように構成してもよい。
【００２２】
・  前記屈曲角度αを１００〜１７０度範囲、好ましくは１２０〜１６０度範囲に設定することができる。
・  前記屈曲角度βを１０〜８０度範囲、好ましくは２０〜６０度範囲に設定することができる。
【００２３】
・  前記ずらし幅Ｗを４〜５０ｍｍ範囲、好ましくは５〜２０ｍｍ範囲に設定することができる。
・  前記実施形態では前記頭部５の軸線５ａや把持部１４の軸線１４ａ，１４ｂ，１４ｃや延出部１５の軸線１５ａを直線的に設けたが、それらの一部または全部を曲線状に設けてもよい。
【００２４】
・  前記実施形態でホルダ４は頭部５と延出部１５と把持部１４とからなり樹脂により一体成形されているが、この頭部５と延出部１５と把持部１４とを別部品として樹脂や樹脂以外の材料により成形して互いに組み付けてもよい。
【００２５】
・  前記実施形態でホルダ４は硬質樹脂の芯体１２と軟質樹脂の表面部１３とからなるが、このホルダ４を一つの樹脂により一体成形してもよい。
【図面の簡単な説明】
【００３０】
【図１】複数種類の彫刻刀をケースに収容した状態を示す平面図である。
【図２】（ａ）（ｂ）（ｃ）（ｄ）（ｅ）はそれぞれ上記各彫刻刀をケースから取り出してキャップを外した状態を示す平面図である。
【図３】（ａ）は図２（ａ）に示すガード付き彫刻刀においてホルダのみを示す正面図であり、（ｂ）は別例を説明するための線図である。
【図４】（ａ）は図２（ａ）に示すガード付き彫刻刀においてホルダのみを示す平面図であり、（ｂ）は同じく底面図である。
【図５】（ａ）は図２（ａ）に示すガード付き彫刻刀においてホルダの芯体を示す正面図であり、（ｂ）は同じく平面図であり、（ｃ）は同じく底面図である。
【図６】（ａ）は図２（ｅ）に示すガードなし彫刻刀においてホルダのみを示す正面図であり、（ｂ）は同じく平面図であり、（ｃ）は同じく底面図である。
【図７】（ａ）は図２（ｅ）に示すガードなし彫刻刀においてホルダの芯体を示す正面図であり、（ｂ）は同じく平面図であり、（ｃ）は同じく底面図である。
【符号の説明】
【００３１】
２…彫刻刀、４…ホルダ、５…ホルダの頭部、５ａ…頭部の軸線、６…刃体、６ａ…刃先部、１４…把持部、１４ａ，１４ｂ，１４ｃ…把持部の軸線、１５…境界部としての延出部、１６…尻部、１７…第一屈曲部、１８…第二屈曲部、Ｘ…ホルダの長手方向、Ｓ…指入空間。
【図１】
0005291898.tif 000002
【図２】
0005291898.tif 000003
【図３】
0005291898.tif 000004
【図４】
0005291898.tif 000005
【図５】
0005291898.tif 000006
【図６】
0005291898.tif 000007
【図７】
0005291898.tif 000008